(57)【要約】【課題】ロータに軸方向に貫通して形成した冷媒流路に冷媒量を十分導入できる冷媒導入路を設け、流路圧損を低減して吸入効率、ひいては圧縮効率を向上し、更なる小型化に貢献し得る電動圧縮機を提供することを目的とする。【解決手段】吸入ポートからハウジング内に吸入した冷媒をモータの周りを通して圧縮機構側に流通させるようにした電動圧縮機において、モータのロータ１６に減肉孔により軸方向に貫通する複数の冷媒流路３５を設け、該ロータ１６の両端面に配設されたバランスウェイト３２中の圧縮機構側の面に設けられたバランスウェイトに、冷媒流路３５に通ずる冷媒導出路を設けるとともに、吸入ポート側の面に設けられた吸入側バランスウェイト３２に、その外周面の開口部４１から冷媒流路３５へと冷媒を導く、回転方向に向うガイド壁面４３，４４により形成された冷媒導入路３６を設けた。【選択図】図２
2016089648.tif 000002
【特許請求の範囲】
【請求項１】
一端側に吸入ポート、他端側に吐出ポートが設けられた円筒状のハウジングと、
前記ハウジング内の前記吸入ポート側に設けられたモータと、
前記ハウジング内の前記吐出ポート側に設けられ、前記モータにより駆動される圧縮機構と、を備え、
前記吸入ポートから前記ハウジング内に吸入した冷媒を前記モータの周りを通して前記圧縮機構側へと流通させるようにした電動圧縮機において、
前記モータのロータに、減肉孔により軸方向に貫通する複数の冷媒流路を形成し、
前記ロータの両端面に配設されたバランスウェイト中の前記圧縮機構側の面に設けられたバランスウェイトに、前記冷媒流路に通ずる冷媒導出路を設けるとともに、前記吸入ポート側の面に設けられた吸入側のバランスウェイトに、その外周面の開口部から前記冷媒流路へと冷媒を導く、回転方向に向うガイド壁面により形成された冷媒導入路を設けたことを特徴とする電動圧縮機。
【請求項２】
前記冷媒導入路のガイド壁面は、回転方向に向う滑らかな曲面壁とされていることを特徴とする請求項１に記載の電動圧縮機。
【請求項３】
前記吸入側バランスウェイトは、リング形状で所定範囲部分の肉厚が厚くされた形状のバランスウェイトとされていることを特徴とする請求項１または２に記載の電動圧縮機。
【請求項４】
前記冷媒導入路は、前記吸入側バランスウェイトにおける前記ロータの端面と接する側の端面を前記冷媒流路と対応する複数箇所で凹状に抉り取った切り欠きにより構成されていることを特徴とする請求項３に記載の電動圧縮機。
【発明の詳細な説明】
【技術分野】
【０００１】
本発明は、ハウジング内にモータおよび圧縮機構を内蔵し、そのモータにより圧縮機構を駆動する電動圧縮機に関するものである。
【背景技術】
【０００２】
ハウジング内にモータおよび圧縮機構を内蔵した電動圧縮機において、ハウジングの一端部側から低圧冷媒ガスを吸い込み、その低圧冷媒ガスをモータとハウジング間を通して圧縮機構側に流通させ、圧縮機構に吸入させることによって圧縮するようにしたものが知られている。このような構成の電動圧縮機では、モータ外周とハウジング内周間に冷媒流路を形成し、その冷媒流路を通して圧縮機構側へと冷媒を流通させている。
【０００３】
かかる電動圧縮機の場合、モータ径を維持したままで小型化しようとすると、モータの外周とハウジングの内周間の隙間を出来るだけ詰める必要があるが、あまり詰め過ぎると冷媒流路の面積が小さくなり、流路圧損が増大して吸入効率、ひいては圧縮効率が低下する等の問題が発生する。一方、モータステータの一部を切り欠いて冷媒流路を設定する場合もあるが、切り欠きを大きくすると、モータ効率に影響を及ぼすことなる。
【０００４】
そこで、特許文献１に示すように、モータのロータ（回転子）に、軸方向に貫通する複数の冷媒流路を形成し、その冷媒流路内を流れる冷媒量を十分確保すると同時に、冷媒中の油分を十分に分離するため、ロータの両端面に設けられている端板やバランスウェイトを利用し、端板の冷媒流路の入口および出口となる部分に対応して所要構成の冷媒導入路および冷媒導出路を加工したり、端板に加工した冷媒導入路および冷媒導出路をバランスウェイトで覆ったりしたものが提案されている。
【先行技術文献】
【特許文献】
【０００５】
【特許文献１】特開２０１０−２６１３９３号公報
【発明の概要】
【発明が解決しようとする課題】
【０００６】
しかしながら、打ち抜き成形した電磁鋼板を複数枚積層して構成される回転子鉄心の両端面に配設される端板は、一般に薄い板厚の非磁性材からなる板材を加工したものとされており、このため、十分な開口面積を持った冷媒導入路を加工することは難しく、流路圧損が大きくなり易い等の課題がある。
【０００７】
つまり、ロータに冷媒流路を構成する貫通孔を設けるとは云っても、モータ性能に影響を及ぼさない範囲での貫通孔とならざるを得ないため、無闇に開口面積を稼げるわけではなく、その貫通孔が出・入口部に設けられる冷媒導入路や冷媒導出路で絞られて圧損が増大することになれば、ロータに冷媒流路を設ける意味が失われることになり兼ねない。
【０００８】
本発明は、このような事情に鑑みてなされたものであって、ロータに軸方向に貫通する冷媒流路を形成したものにあって、その冷媒流路に冷媒量を十分導入できる冷媒導入路を設け、流路圧損を低減して吸入効率、ひいては圧縮効率を向上し、更なる小型化に貢献し得る電動圧縮機を提供することを目的とする。
【課題を解決するための手段】
【０００９】
上記した課題を解決するために、本発明の電動圧縮機は、以下の手段を採用する。
すなわち、本発明にかかる電動圧縮機は、一端側に吸入ポート、他端側に吐出ポートが設けられた円筒状のハウジングと、前記ハウジング内の前記吸入ポート側に設けられたモータと、前記ハウジング内の前記吐出ポート側に設けられ、前記モータにより駆動される圧縮機構と、を備え、前記吸入ポートから前記ハウジング内に吸入した冷媒を前記モータの周りを通して前記圧縮機構側へと流通させるようにした電動圧縮機において、前記モータのロータに、減肉孔により軸方向に貫通する複数の冷媒流路を形成し、前記ロータの両端面に配設されたバランスウェイト中の前記圧縮機構側の面に設けられたバランスウェイトに、前記冷媒流路に通ずる冷媒導出路を設けるとともに、前記吸入ポート側の面に設けられた吸入側のバランスウェイトに、その外周面の開口部から前記冷媒流路へと冷媒を導く、回転方向に向うガイド壁面により形成された冷媒導入路を設けたことを特徴とする。
【００１０】
本発明によれば、ロータを軽量化するための減肉孔によって軸方向に貫通する複数の冷媒流路を形成し、そのロータの両端面に配設されたバランスウェイト中の圧縮機構側の面に設けられたバランスウェイトに、冷媒流路に通ずる冷媒導出路を設けるとともに、吸入ポート側の面に設けられた吸入側のバランスウェイトに、その外周面の開口部から冷媒流路へと冷媒を導く、回転方向に向うガイド壁面により形成された冷媒導入路を設けているため、ロータの減肉孔を利用してロータを貫通し、吸入ポートから吸入した冷媒を圧縮機構側へと流通させる冷媒流路を形成したことにより、モータ外周とハウジング内周面との間に冷媒流路を形成することによるモータ径やハウジング径への影響を排除することができる。また、ロータの両端面に配設したバランスウェイトに冷媒導入路および冷媒導出路を設け、その吸入側バランスウェイトに外周面の開口部から冷媒流路へと冷媒を導く冷媒導入路を、回転方向に向うガイド壁面を設けて形成したことにより、バランスウェイトの肉厚を利用して、バランスウェイト周りの冷媒ガスを外周面の開口部からガイド壁面によってスムーズに冷媒流路へと導くことができる比較的開口面積の大きい冷媒導入路を設けることができる。従って、冷媒流路がモータ径やハウジング径に及ぼす影響を排除して電動圧縮機の更なる小型化を図ることができるとともに、冷媒導入路および冷媒導出路を含む冷媒流路での流路抵抗による圧損を低減し、吸入効率、ひいては圧縮効率を向上することができる。
【００１１】
さらに、本発明の電動圧縮機は、上記の電動圧縮機において、前記冷媒導入路のガイド壁面は、回転方向に向う滑らかな曲面壁とされていることを特徴とする。
【００１２】
本発明によれば、冷媒導入路のガイド壁面が、回転方向に向う滑らかな曲面壁とされているため、ロータの回転によりその周りの冷媒ガスを回転方向に向う滑らかな曲面壁に沿ってスムーズに冷媒流路へと導くことができる。従って、ロータに設けられた冷媒流路への冷媒導入部での流路圧損を低減し、吸入効率の低下を抑制することによって圧縮効率の向上を図ることができる。
【００１３】
さらに、本発明の電動圧縮機は、上述のいずれかの電動圧縮機において、前記吸入側バランスウェイトは、リング形状で所定範囲部分の肉厚が厚くされた形状のバランスウェイトとされていることを特徴とする。
【００１４】
本発明によれば、吸入側バランスウェイトが、リング形状で所定範囲部分の肉厚が厚くされた形状のバランスウェイトとされているため、ロータを貫通する周方向の複数の冷媒流路に対応して、比較的開口面積の大きい複数の冷媒導入路を周方向にそれぞれ一様に設けることができる。従って、冷媒導入路および冷媒流路での流路圧損を低減し、吸入効率の向上、ひいては圧縮効率の向上を図ることができる。
【００１５】
さらに、本発明の電動圧縮機は、上記の電動圧縮機において、前記冷媒導入路は、前記吸入側バランスウェイトにおける前記ロータの端面と接する側の端面を前記冷媒流路と対応する複数箇所で凹状に抉り取った切り欠きにより構成されていることを特徴とする。
【００１６】
本発明によれば、冷媒導入路が、吸入側バランスウェイトにおけるロータの端面と接する側の端面を冷媒流路と対応する複数箇所で凹状に抉り取った切り欠きにより構成されているため、冷媒導入路を吸入側バランスウェイトの一端面を凹状に抉り取ることによって一体に成形することができる。従って、冷媒の円滑な導入を優先した形状の冷媒導入路としても、バランスウェイトに対して簡易に一体成形することにより、コストアップ要因とならないようにすることができる。
【発明の効果】
【００１７】
本発明によると、ロータの減肉孔を利用してロータを貫通し、吸入ポートから吸入した冷媒を圧縮機構側へと流通させる冷媒流路を形成したことにより、モータ外周とハウジング内周面との間に冷媒流路を形成することによるモータ径やハウジング径への影響を排除することができる。また、ロータの両端面に配設したバランスウェイトに冷媒導入路および冷媒導出路を設け、その吸入側バランスウェイトに外周面の開口部から冷媒流路へと冷媒を導く冷媒導入路を、回転方向に向うガイド壁面を設けて形成したことにより、バランスウェイトの肉厚を利用して、バランスウェイト周りの冷媒ガスを外周面の開口部からガイド壁面によってスムーズに冷媒流路へと導くことができる比較的開口面積の大きい冷媒導入路を設けることができるため、冷媒流路がモータ径やハウジング径に及ぼす影響を排除して電動圧縮機の更なる小型化を図ることができるとともに、冷媒導入路および冷媒導出路を含む冷媒流路での流路抵抗による圧損を低減し、吸入効率、ひいては圧縮効率を向上することができる。
【図面の簡単な説明】
【００１８】
【図１】本発明の一実施形態に係る電動圧縮機の縦断面図である。
【図２】上記電動圧縮機のモータにおけるロータ端面を冷媒吸入側から見た正面視図である。
【図３】図２中のＡ−Ａ断面相当図である。
【発明を実施するための形態】
【００１９】
以下に、本発明の一実施形態について、図１ないし図３を用いて説明する。
図１には、本発明の一実施形態に係る電動圧縮機の縦断面図が示され、図２には、そのモータのロータ端面の正面視図、図３には、図２のＡ−Ａ断面相当図が示されている。
ここでの電動圧縮機１は、電動圧縮機１のハウジング２にモータ１７を駆動するインバータ２６が一体に組み込まれているインバータ一体型電動圧縮機１とされているが、本発明は、インバータ２６を備えていない、あるいはインバータ２６が別置きとされている電動圧縮機１にも同様に適用できることはもちろんである。
【００２０】
インバータ一体型とされた電動圧縮機１は、円筒状のハウジング２を備え、その一端部が圧縮機側エンドハウジング３により密閉され、他端部がモータ側エンドハウジング４により密閉された構成とされている。なお、以下の説明において、ハウジング２は、圧縮機側エンドハウジング３およびモータ側エンドハウジングを含んでハウジング２と称している場合もある。
【００２１】
円筒状のハウジング２の一端部側には、一対の固定スクロール５および旋回スクロール６からなる公知のスクロール圧縮機構（圧縮機構）７が組み込まれており、この圧縮機構７により圧縮された高圧の冷媒ガスは、吐出口８および吐出弁９を介して吐出チャンバー１０内に吐出され、圧縮機側エンドハウジング３に設けられている図示省略の吐出ポートを経て外部へと吐出されるようになっている。
【００２２】
また、スクロール圧縮機構７を構成する固定スクロール５は、圧縮機側エンドハウジング３にボルト１１で固定され、旋回スクロール６は、スラスト軸受１２にオルダムリンク１３等の自転阻止手段を介して旋回可能に支持されている。この固定スクロール５および旋回スクロール６を公知の如く噛み合わせることにより圧縮室１４を形成し、その圧縮室１４を旋回スクロール６の公転旋回駆動によって外周側から中心側へと容積を減少させながら移動させることにより、圧縮動作を行わせる構成とされている。
【００２３】
円筒状のハウジング２の他端部側には、ステータ（固定子）１５と、ロータ（回転子）１６からなるモータ１７が組み込まれており、そのロータ１６に駆動軸１８が一体に結合されている。駆動軸１８は、ハウジング２内の中央部付近に設置された軸受２０と、モータ側エンドハウジング４の内面に設けられた軸受２１により回転自在に支持され、その一端に設けられたクランクピン１９が、ドライブブッシュ２２および旋回軸受２３を介して旋回スクロール６に連結されることによって、旋回スクロール６、すなわちスクロール圧縮機構７が駆動可能とされている。
【００２４】
ハウジング２のモータ１７が組み込まれている他端部側の端部には、冷凍サイクルからの低圧冷媒ガスを吸入するための吸入ポート（図示省略）が設けられており、モータ側エンドハウジング４とモータ１７の一端間の空間部２４に低圧冷媒ガスが吸入されるようになっている。この低圧冷媒ガスは、後述するモータ１７周りの冷媒流路３５を通って圧縮機構７側に流通され、圧縮機構７に吸い込まれて圧縮されるようになっている。
【００２５】
一方、モータ側エンドハウジング４の外面側には、インバータ収容部２５が一体成形されており、その内部にモータ１７を駆動するインバータ２６が収容設置されている。このインバータ２６は、外部のバッテリ等から給電される直流電力を所要周波数の三相交流電力に変換し、モータ側エンドハウジング４を貫通するハーメチック端子（図示省略）を介してモータ１７に印加することにより、モータ１７を駆動するものである。
【００２６】
インバータ２６は、例えば、電力用半導体スイッチング素子であるＩＧＢＴ等の複数個のパワートランジスタで構成されるスイッチング回路が実装されたパワー基板と、外部から入力される制御信号に基づいて、スイッチング回路、その他を制御するＣＰＵ等の低電圧で動作する素子で構成される制御通信回路が実装された制御基板と、ノイズ除去用のフィルタ回路を構成する平滑コンデンサおよびコイル等の電装部品とから構成されるものであり、それ自体は公知のもの故、ここでの詳細説明は省略する。
【００２７】
インバータ２６によって駆動されるモータ１７は、上記の如くステータ（固定子）１５およびロータ（回転子）１６を備えている。ステータ（固定子）１５は、一般に環状に打抜き成形された電磁鋼板を所要枚数積層して構成される固定子鉄心２７を備え、その内周側に設けられているティース部に対し、絶縁ボビン２８を介してコイル巻線を集中巻きしたものとされている。一方、ロータ（回転子）１６は、図２，３に示されるように、一般に環状に打ち抜き成形された磁性鋼板を複数枚積層して回転子鉄心２９を形成し、その両端面に端板３０，３１およびバランスウェイト３２，３３を配設し、図示省略された複数本のカシメピンあるいはボルト・ナット等により一体に締結したものとされている。
【００２８】
ロータ１６には、中心部に駆動軸１８を結合する貫通孔３４が設けられるとともに、外周部にモータ極数に対応した数の永久磁石（図示省略）が埋め込まれている。また、この永久磁石を埋め込む磁石埋め込み孔およびカシメピンあるいはボルト・ナット等の締結手段を通す貫通孔が設けられる以外に、ロータ１６を軽量化するため、減肉孔を設けたものが知られている。
【００２９】
本実施形態では、上記の減肉孔を利用し、図２，３に示されるように、モータ側エンドハウジング４とモータ１７の一端部間の空間部２４に吸入された低圧冷媒ガスを圧縮機構７側に流通させる軸方向に貫通した複数（本実施形態では、４個）の冷媒流路３５を設けたものとされている。なお、冷媒流路３５を形成するに当り、モータ１７の性能を確保するため、磁石およびカシメピン等の締結手段の配設が優先されることは勿論であり、減肉孔によって形成される冷媒流路３５は、磁石およびカシメピン等を避けてロータ１６の性能や回転バランスに影響を及ぼさない位置にバランスを取って配設されることは云うまでもない。
【００３０】
また、回転子鉄心２９の両端面に積層して配設される端板３０，３１およびバランスウェイト３２，３３には、複数の冷媒流路３５と対応する位置に冷媒導入路３６および冷媒導出路３７が設けられている。冷媒導出路３７は、冷媒流路３５と連通するように、端板３１およびバランスウェイト３３に設けられている貫通孔３８，３９によって構成されている。一方、冷媒導入路３６は、回転体であるロータ１６の周辺空間から冷媒ガスを取り込んで冷媒流路３５に導き、十分な量を圧縮機構７側に流通させるためのものである。
【００３１】
そのため、冷媒導入路３６は、空間部２４側に面しているバランスウェイト（吸入側バランスウェイト）３２を、リング形状であって半円部分３２Ａの肉厚を厚くした構成のバランスウェイト３２となし、その吸入側バランスウェイト３２の端板３０に接する側の端面を凹状に抉り取った切り欠き４０により、外周面に所要の開口面積を有する開口部４１を有し、その開口部４１から端板３０の貫通孔４２と連通する冷媒流路３５に向って滑らかに湾曲する曲面壁からなるガイド壁面４３，４４によって形成された、ロータ１６の回転方向Ｎに向う湾曲形状の冷媒導入路３６とされている。
【００３２】
なお、空間部２４側に面して配設されている吸入側バランスウェイト３２をリング形状となし、その半円部分３２Ａの肉厚を厚くした構成としているが、肉厚を厚くしている半円部分３２Ａの大きさは、必ずしも半円部分３２Ａに限られるものではなく、バランサー機能を満たすべく、適宜範囲の大きさに設定すればよい。また、圧縮機構７側の端面に配設されているバランスウェイト３３は、必ずしもリング形状とする必要はなく、本例の如く半円形状あるいは三日月形状としてもよいことは勿論である。
【００３３】
以上に説明の構成により、本実施形態によれば、以下の作用効果を奏する。
上記電動圧縮機１において、外部電源から供給された直流電力をインバータ２６により所要周波数の三相交流電力に変換し、その三相交流電力をモータ１７に印加することによって、モータ１７が回転駆動され、圧縮機構７が駆動される。モータ１７および圧縮機構７の駆動により、冷凍サイクル側から低圧冷媒ガスがハウジング２内の空間部２４に吸い込まれ、その低圧冷媒ガスがモータ１７のロータ１６を軸方向に貫通する冷媒流路３５等を経て圧縮機構７側へと流通され、圧縮機構７に吸入されることにより圧縮される。圧縮された高圧ガスは、吐出チャンバー１０を経て外部へと吐出される。
【００３４】
この間、空間部２４に吸い込まれ、モータ側エンドハウジング４をヒートシンクとしてインバータ２６を冷却した低圧冷媒ガスは、ロータ１６に設けられている複数の冷媒流路３５を通して圧縮機構７側に流通され、圧縮機構７に吸入されることになるが、冷媒流路３５に対しては、空間部２４内の低圧冷媒ガスがロータ１６の端面に一体に締結された吸入側バランスウェイト３２に設けられている冷媒導入路３６を介して導入され、その冷媒がロータ１６の他端面に一体に締結された端板３１およびバランスウェイト３３に設けられている冷媒導出路３７を介して圧縮機構７側の吸入エリアへと導出される。
【００３５】
ここで、上記冷媒流路３５は、ロータ１６の減肉孔を利用してロータ１６を軸方向に貫通し、吸入ポートから空間部２４に吸入された冷媒を圧縮機構７側へと流通させるように形成されるため、モータ１７の外周とハウジング２の内周面間に冷媒流路を形成する必要がなく、かかる冷媒流路を設けることによるモータ径やハウジング径への影響を排除することができる。従って、空間部２４から圧縮機構７側への冷媒流路がモータ径やハウジング径に及ぼす影響を排除して電動圧縮機１の更なる小型化を図ることができる。
【００３６】
また、冷媒導入路３６は、吸入ポートが開口されている空間部２４側の面に配設された吸入側バランスウェイト３２の端面を凹状に抉り取った切り欠き４０により、外周面に所要面積を有する開口部４１を有し、その開口部４１から端板３０の貫通孔４２と連通する冷媒流路３５に向って滑らかに湾曲する曲面壁からなるガイド壁面４３，４４によって形成された、ロータ１６の回転方向Ｎに向う湾曲形状の冷媒導入路３６とされている。このため、吸入側バランスウェイト３２の肉厚を利用して、バランスウェイト３２周りの冷媒ガスを外周面の開口部４１からガイド壁面４３，４４によりスムーズに冷媒流路３５へと導くことができる比較的開口面積の大きい冷媒導入路３６とすることができる。
【００３７】
これによって、モータ１７のロータ１６中に、冷媒流路３５を形成したとしても、冷媒導入路３６および冷媒導出路３７を含む冷媒流路３５中での流路抵抗による圧損を可及的に小さくし、圧縮機１の吸入効率、ひいては圧縮効率を向上することができる。
【００３８】
また、冷媒導入路３６のガイド壁面４３，４４が、回転方向に向う滑らかな曲面壁とされているため、ロータ１６の回転によりその周りの冷媒ガスを回転方向に向う滑らかな曲面壁に沿ってスムーズに冷媒流路へと導くことができる。従って、ロータ１６に設けられた冷媒流路３５への冷媒導入部での流路圧損を低減し、圧縮機１の吸入効率の低下、ひいては圧縮効率の低下を抑制することができる。
【００３９】
さらに、本実施形態においては、吸入側バランスウェイト３２が、リング形状で所定範囲部分の肉厚が厚くされた形状のバランスウェイト３２とされている。このため、ロータ１６を貫通する周方向の複数の冷媒流路３５に対応して、比較的開口面積の大きい複数の冷媒導入路３６を周方向にそれぞれ一様に設けることができ、これによっても、冷媒導入路３６および冷媒流路３５での流路圧損を低減し、吸入効率の低下を抑制することによって圧縮効率の向上を図ることができる。
【００４０】
また、上記冷媒導入路３６は、吸入側バランスウェイト３２のロータ１６の端面と接する側の端面を冷媒流路３５と対応する複数箇所で凹状に抉り取った切り欠き４０により構成されている。このため、冷媒導入路３６を吸入側バランスウェイト３２の一端面を凹状に抉り取ることにより一体に成形することができ、従って、冷媒の円滑な導入を優先した形状の冷媒導入路３６としても、吸入側バランスウェイト３２に対して簡易に一体成形することにより、コストアップ要因とならないようにすることができる。
【００４１】
なお、本発明は、上記実施形態にかかる発明に限定されるものではなく、その要旨を逸脱しない範囲において、適宜変形が可能である。例えば、上記実施形態では、吸入側バランスウェイト３２をリング形状、バランスウェイト３３を半円形状あるいは三日月形状としているが、双方をリング形状としてもよい。
【００４２】
また、バランスウェイト３２，３３をリング形状とし、その材料を適宜選択して非磁性材とすることにより、バランスウェイト３２，３３の一方または双方を端板３０，３１に兼用化し、端板３０，３１を省略した構成としてもよい。
更に、上記実施形態では、冷媒流路３５を円形孔としているが、減肉孔として設けられる孔が非円形の場合、冷媒流路３５を非円形孔としてもよいことは勿論である。
【符号の説明】
【００４３】
１  電動圧縮機
２  ハウジング
７  スクロール圧縮機構（圧縮機構）
１６  ロータ
１７  モータ
３２  バランスウェイト（吸入側バランスウェイト）
３２Ａ  半円部分
３３  バランスウェイト
３５  冷媒流路
３６  冷媒導入路
３７  冷媒導出路
４０  切り欠き
４１  開口部
４３，４４  ガイド壁面
Ｎ  モータ回転方向
【図１】
2016089648.tif 000003
【図２】
2016089648.tif 000004
【図３】
2016089648.tif 000005